【事件の表示】
　特願２０１６−　２３０２３「役割を用いた画像へのアクセスの管理」拒絶査定不服審判事件〔平成２８年　８月１８日出願公開、特開２０１６−１４９１３０、請求項の数（１８）〕について、次のとおり審決する。
【結　論】
　原査定を取り消す。
　本願の発明は、特許すべきものとする。
【理　由】
第１ 手続の経緯
　本願は，平成２８年２月９日（パリ条約による優先権主張２０１５年２月１１日，米国）の出願であって，平成２８年１１月３０日付けで拒絶の理由が通知され，平成２９年１月１６日に手続補正がなされ，同年７月５日付けで拒絶査定（謄本送達日同年７月１１日）がなされ，これに対して同年８月１４日に審判請求がなされると共に手続補正がなされ，同年９月８日付けで審査官により特許法１６４条３項の規定に基づく報告がなされ，平成３０年３月２２日付けで当審により拒絶の理由が通知され，同年５月２１日に手続補正がなされたものである。
第２　原査定の概要
　原査定（平成２９年７月５日付け拒絶査定）の概要は次のとおりである。
１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１（進歩性）について
・請求項　１−２０
・引用文献等　１−２
　＜引用文献等一覧＞
１.国際公開第２０１３／１２３０８６号
２.特開２００２−３６６２０２号公報
第３　本願発明
　本願請求項１乃至１８に係る発明（以下「本願発明１」乃至「本願発明１８」という。）は，平成３０年５月２１日付け手続補正により補正された特許請求の範囲の請求項１乃至１８に記載された，次のとおりのものと認める。
「　【請求項１】
　ネットワーク装置であって、
　１又は複数のプロセッサと、
　１又は複数のメモリと、
　画像管理アプリケーションと、
　を有し、前記画像管理アプリケーションは、
　１又は複数の通信リンクを介して、前記ネットワーク装置の外部にあるクライアント装置から、複数のプロセスのうち、前記ネットワーク装置及び前記クライアント装置と異なる１又は複数のモバイル装置により取得された１又は複数の画像を処理する特定のプロセスにアクセスする、ユーザの要求を受信するステップと、
　前記１又は複数の通信リンクを介して、前記ネットワーク装置の外部にある前記クライアント装置から、複数のプロセスのうち、前記ネットワーク装置及び前記クライアント装置と異なる１又は複数のモバイル装置により取得された１又は複数の画像を処理する前記特定のプロセスにアクセスする、ユーザの前記要求を受信するステップに応答して、
　　前記ユーザのユーザデータを読み出すステップであって、前記ユーザの前記ユーザデータは、前記ネットワーク装置及び前記クライアント装置と異なる前記１又は複数のモバイル装置により取得された前記１又は複数の画像を処理するための前記ユーザがアクセスの権限を付与される１又は複数のプロセスと、前記ユーザの役割を示す１又は複数の論理エンティティとを指定するものである、前記ユーザのユーザデータを読み出すステップと、
　　前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであるか否かを決定するステップと、
　　前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであると決定されたことに応答して、
　　　前記ユーザの前記ユーザデータにより指定された前記１又は複数の論理エンティティに対応する前記１又は複数のモバイル装置により取得された１又は複数の特定の画像を決定するステップと、
　　　前記ユーザに、前記ユーザの前記ユーザデータにより指定された前記１又は複数の論理エンティティに対応する１又は複数のモバイル装置により取得された前記１又は複数の特定の画像を処理するための前記特定のプロセスを使用することを許可し、及び前記ユーザに、前記ユーザの前記ユーザデータにより指定された前記１又は複数の論理エンティティに対応しない１又は複数のモバイル装置により取得された他の画像を処理するための前記特定のプロセスを使用することを許可しないステップと、
　を実行するよう構成され、
　前記特定のプロセスは複数のレベルを有し、前記画像管理アプリケーションは、前記特定のプロセスについて、前記複数のレベルのうちのどれで前記ユーザがアクセスの権限を付与されているかを確認し、前記ユーザにアクセスの権限が付与されていないと判断された画像は、他のユーザがアクセス権限を付与されるかを決定するために前記複数のレベルのうちの他のレベルの例外キューに提供され、他のユーザがアクセス権限を付与するために、前記ユーザにアクセスの権限が付与されていない画像は、前記複数のレベルのうちの更に他のレベルのワークキューに提供されるよう更に構成される、ネットワーク装置。
　　【請求項２】
　前記ユーザの前記ユーザデータは、前記ユーザに割り当てられる１又は複数の役割を指定し、前記ユーザがアクセスの権限を付与された前記１又は複数のプロセスは、前記ユーザに割り当てられる前記１又は複数の役割に対応する、請求項１に記載のネットワーク装置。
　　【請求項３】
　前記ユーザに割り当てられた前記１又は複数の役割のうちの少なくとも１つの役割は、１又は複数の他のユーザに割り当てられる、請求項２に記載のネットワーク装置。
　　【請求項４】
　前記ユーザの前記ユーザデータは、前記ネットワーク装置の外部にあるサービスから読み出される、請求項１に記載のネットワーク装置。
　　【請求項５】
　前記画像管理アプリケーションは、
　前記１又は複数のモバイル装置により取得された前記１又は複数の特定の画像が前記ネットワーク装置及び前記クライアント装置と異なる前記１又は複数のモバイル装置により取得された前記１又は複数の画像を処理するための前記特定のプロセスに対応するか否かを決定するために、前記１又は複数のモバイル装置により取得された前記１又は複数の特定の画像のメタデータを調べるステップと、
　前記１又は複数の特定の画像が前記特定のプロセスに対応し、且つ前記ユーザが前記特定のプロセスへのアクセスの権限を付与される場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可し、前記１又は複数の特定の画像が前記特定のプロセスに対応しない場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可しないステップと、
　を実行するよう更に構成される、請求項１に記載のネットワーク装置。
　　【請求項６】
　前記画像管理アプリケーションは、
　前記１又は複数の特定の画像について、前記１又は複数の特定の画像の対応する論理エンティティを指定するメタデータを調べることにより、前記ユーザの前記ユーザデータにより指定された前記１又は複数の論理エンティティに対応する前記１又は複数のモバイル装置により取得された前記１又は複数の特定の画像を決定するステップと、
　を実行するよう更に構成される、請求項１に記載のネットワーク装置。
　　【請求項７】
　前記画像管理アプリケーションは、
　前記ユーザの前記ユーザデータが前記１又は複数の論理エンティティを指定するか否かを決定するステップと、
　前記ユーザの前記ユーザデータが前記１又は複数の論理エンティティを指定する場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可し、前記ユーザの前記ユーザデータが前記１又は複数の論理エンティティを指定しない場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可しないステップと、
　を実行するよう更に構成される、請求項１に記載のネットワーク装置。
　　【請求項８】
　プログラムであって、１又は複数のプロセッサにより処理されると、画像管理アプリケーションに、
　１又は複数の通信リンクを介して、前記画像管理アプリケーションが実行するネットワーク装置の外部にあるクライアント装置から、複数のプロセスのうち、前記ネットワーク装置及び前記クライアント装置と異なる１又は複数のモバイル装置により取得された１又は複数の画像を処理する特定のプロセスにアクセスする、ユーザの要求を受信するステップと、
　前記１又は複数の通信リンクを介して、前記ネットワーク装置の外部にある前記クライアント装置から、複数のプロセスのうち、前記ネットワーク装置及び前記クライアント装置と異なる１又は複数のモバイル装置により取得された１又は複数の画像を処理する前記特定のプロセスにアクセスする、ユーザの前記要求を受信するステップに応答して、
　　前記ユーザのユーザデータを読み出すステップであって、前記ユーザの前記ユーザデータは、前記ネットワーク装置及び前記クライアント装置と異なる前記１又は複数のモバイル装置により取得された前記１又は複数の画像を処理するための前記ユーザがアクセスの権限を付与される１又は複数のプロセスと、前記ユーザの役割を示す１又は複数の論理エンティティとを指定するものである、前記ユーザのユーザデータを読み出すステップと、
　　前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであるか否かを決定するステップと、
　　前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであると決定されたことに応答して、
　　　前記ユーザの前記ユーザデータにより指定された前記１又は複数の論理エンティティに対応する前記１又は複数のモバイル装置により取得された１又は複数の特定の画像を決定するステップと、
　　　前記ユーザに、前記ユーザの前記ユーザデータにより指定された前記１又は複数の論理エンティティに対応する１又は複数のモバイル装置により取得された前記１又は複数の特定の画像を処理するための前記特定のプロセスを使用することを許可し、及び前記ユーザに、前記ユーザの前記ユーザデータにより指定された前記１又は複数の論理エンティティに対応しない１又は複数のモバイル装置により取得された他の画像を処理するための前記特定のプロセスを使用することを許可しないステップと、
　を実行させ、
　前記特定のプロセスは複数のレベルを有し、前記画像管理アプリケーションは、前記特定のプロセスについて、前記複数のレベルのうちのどれで前記ユーザがアクセスの権限を付与されているかを確認し、前記ユーザにアクセスの権限が付与されていないと判断された画像は、他のユーザがアクセス権限を付与されるかを決定するために前記複数のレベルのうちの他のレベルの例外キューに提供され、他のユーザがアクセス権限を付与するために、前記ユーザにアクセスの権限が付与されていない画像は、前記複数のレベルのうちの更に他のレベルのワークキューに提供されるよう更に構成されるプログラム。
　　【請求項９】
　前記ユーザの前記ユーザデータは、前記ユーザに割り当てられる１又は複数の役割を指定し、前記ユーザがアクセスの権限を付与された前記１又は複数のプロセスは、前記ユーザに割り当てられる前記１又は複数の役割に対応する、請求項８に記載のプログラム。
　　【請求項１０】
　前記ユーザに割り当てられた前記１又は複数の役割のうち少なくとも１つの役割は、１又は複数の他のユーザに割り当てられる、請求項９に記載のプログラム。
　　【請求項１１】
　前記ユーザの前記ユーザデータは、前記ネットワーク装置の外部にあるサービスから読み出される、請求項８に記載のプログラム。
　　【請求項１２】
　前記１又は複数のプロセッサにより処理されると、前記画像管理アプリケーションに、
　前記１又は複数のモバイル装置により取得された前記１又は複数の特定の画像が前記ネットワーク装置及び前記クライアント装置と異なる前記１又は複数のモバイル装置により取得された前記１又は複数の画像を処理するための前記特定のプロセスに対応するか否かを決定するために、前記１又は複数のモバイル装置により取得された前記１又は複数の特定の画像のメタデータを調べるステップと、
　前記１又は複数の特定の画像が前記特定のプロセスに対応し、且つ前記ユーザが前記特定のプロセスへのアクセスの権限を付与される場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可し、前記１又は複数の特定の画像が前記特定のプロセスに対応しない場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可しないステップと、
　を更に実行させる請求項８に記載のプログラム。
　　【請求項１３】
　前記１又は複数のプロセッサにより処理されると、前記画像管理アプリケーションに、
　前記１又は複数の特定の画像について、前記１又は複数の特定の画像の対応する論理エンティティを指定するメタデータを調べることにより、前記ユーザの前記ユーザデータにより指定された前記１又は複数の論理エンティティに対応する前記１又は複数のモバイル装置により取得された前記１又は複数の特定の画像を決定するステップと、
　を更に実行させる請求項８に記載のプログラム。
　　【請求項１４】
　前記１又は複数のプロセッサにより処理されると、前記画像管理アプリケーションに、
　前記ユーザの前記ユーザデータが前記１又は複数の論理エンティティを指定するか否かを決定するステップと、
　前記ユーザの前記ユーザデータが前記１又は複数の論理エンティティを指定する場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可し、前記ユーザの前記ユーザデータが前記１又は複数の論理エンティティを指定しない場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可しないステップと、
　を更に実行させる請求項８に記載のプログラム。
　　【請求項１５】
　画像管理アプリケーションが、
　１又は複数の通信リンクを介して、ネットワーク装置の外部にあるクライアント装置から、複数のプロセスのうち、前記画像管理アプリケーションが実行する前記ネットワーク装置及び前記クライアント装置と異なる１又は複数のモバイル装置により取得された１又は複数の画像を処理する特定のプロセスにアクセスする、ユーザの要求を受信するステップと、
　前記１又は複数の通信リンクを介して、前記ネットワーク装置の外部にある前記クライアント装置から、複数のプロセスのうち、前記ネットワーク装置及び前記クライアント装置と異なる１又は複数のモバイル装置により取得された１又は複数の画像を処理する前記特定のプロセスにアクセスする、ユーザの前記要求を受信するステップに応答して、
　　前記ユーザのユーザデータを読み出すステップであって、前記ユーザの前記ユーザデータは、前記ネットワーク装置及び前記クライアント装置と異なる前記１又は複数のモバイル装置により取得された前記１又は複数の画像を処理するための前記ユーザがアクセスの権限を付与される１又は複数のプロセスと、前記ユーザの役割を示す１又は複数の論理エンティティとを指定するものである、前記ユーザのユーザデータを読み出すステップと、
　　前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであるか否かを決定するステップと、
　　前記１又は複数のモバイル装置により取得された前記１又は複数の画像を処理する前記特定のプロセスが、前記ユーザの前記ユーザデータにより指定された前記ネットワーク装置及び前記クライアント装置と異なる前記１又は複数のモバイル装置により取得された前記１又は複数の画像を処理するための前記ユーザがアクセスの権限を付与された前記１又は複数のプロセスであると決定されたことに応答して、
　　　前記ユーザの前記ユーザデータにより指定された前記１又は複数の論理エンティティに対応する前記１又は複数のモバイル装置により取得された１又は複数の特定の画像を決定するステップと、
　　　前記ユーザに、前記ユーザの前記ユーザデータにより指定された前記１又は複数の論理エンティティに対応する１又は複数のモバイル装置により取得された前記１又は複数の特定の画像を処理するための前記特定のプロセスを使用することを許可し、及び前記ユーザに、前記ユーザの前記ユーザデータにより指定された前記１又は複数の論理エンティティに対応しない１又は複数のモバイル装置により取得された他の画像を処理するための前記特定のプロセスを使用することを許可しないステップと、
　を実行し、
　前記特定のプロセスは複数のレベルを有し、前記画像管理アプリケーションは、前記特定のプロセスについて、前記複数のレベルのうちのどれで前記ユーザがアクセスの権限を付与されているかを確認し、前記ユーザにアクセスの権限が付与されていないと判断された画像は、他のユーザがアクセス権限を付与されるかを決定するために前記複数のレベルのうちの他のレベルの例外キューに提供され、他のユーザがアクセス権限を付与するために、前記ユーザにアクセスの権限が付与されていない画像は、前記複数のレベルのうちの更に他のレベルのワークキューに提供されるよう更に構成される、コンピュータにより実施される方法。
　　【請求項１６】
　前記ユーザの前記ユーザデータは、前記ユーザに割り当てられる１又は複数の役割を指定し、前記ユーザがアクセスの権限を付与された前記１又は複数のプロセスは、前記ユーザに割り当てられる前記１又は複数の役割に対応する、請求項１５に記載のコンピュータにより実施される方法。
　　【請求項１７】
　前記画像管理アプリケーションが、
　前記１又は複数のモバイル装置により取得された前記１又は複数の特定の画像が前記ネットワーク装置及び前記クライアント装置と異なる前記１又は複数のモバイル装置により取得された前記１又は複数の画像を処理するための前記特定のプロセスに対応するか否かを決定するために、前記１又は複数のモバイル装置により取得された前記１又は複数の特定の画像のメタデータを調べるステップと、
　前記１又は複数の特定の画像が前記特定のプロセスに対応し、且つ前記ユーザが前記特定のプロセスへのアクセスの権限を付与される場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可し、前記１又は複数の特定の画像が前記特定のプロセスに対応しない場合、前記ユーザに、前記ユーザの前記ユーザデータにより指定された前記１又は複数の論理エンティティに対応する前記１又は複数のモバイル装置により取得された前記１又は複数の特定の画像を処理するために前記特定のプロセスを使用することを許可しないステップと、
　を更に有する請求項１５に記載のコンピュータにより実施される方法。
　　【請求項１８】
　前記画像管理アプリケーションが、
　前記１又は複数の特定の画像について、前記１又は複数の特定の画像の対応する論理エンティティを指定するメタデータを調べることにより、前記ユーザの前記ユーザデータにより指定された前記１又は複数の論理エンティティに対応する前記１又は複数のモバイル装置により取得された前記１又は複数の特定の画像を決定するステップと、
　を更に有する請求項１５に記載のコンピュータにより実施される方法。」
第４　引用例
１　引用例１に記載された事項及び引用発明
　原審における平成２８年１１月３０日付けの拒絶理由（以下，これを「原審拒絶理由」という。）において引用した，本願の第一国出願前に既に公知である，国際公開第２０１３／１２３０８６号（２０１３年８月２２日公開。以下，これを「引用例１」という。）には，関連する図面と共に，次の事項が記載されている。（下線は，説明のために当審で付加。以下同様。）
Ａ　「[0040] Figure 2 is a block diagram illustrating 
a cloud-based image processing system
system 200 includes server 109 communicatively coupled to one or more clients 202-203 over network 201
Server 109 is configured to provide cloud-based image processing services
[0041] According to one embodiment,
 server 109 includes
image processing system 207
Image processing system 207 includes a variety of medical imaging processing tools or applications
[0042] 
In response to image data received from
image capturing devices
image preprocessing system 204 may be configured to automatically perform certain preprocesses of the image data
Image preprocessing system 204
may be  integrated with server 109
（ファミリー文献である，特表２０１５−５１５０４１号公報による訳文（以下，「訳文」という。）：
　図２は、本発明の別の実施形態による
クラウドベースの画像処理システム
ネットワーク２０１を経て、１つ以上のクライアント２０２−２０３に通信結合されたサーバー１０９を備え
サーバー１０９は
クライアント２０２−２０３にクラウドベースの画像処理サービスを提供するように構成され
　１つの実施形態によれば、
サーバー１０９は
画像処理システム２０７
を備え
画像処理システム２０７は
種々の医療画像形成処理ツール又はアプリケーションを備え
　医療データセンター１０５から、又は
画像捕獲装置
から
受け取られた画像データに応答して
画像前処理システム２０４は、画像データのある前処理を自動的に遂行し
画像前処理システム２０４は
サーバー１０９に一体化されてもよい
Ｂ　「[0045] 
Image preprocessing system 204 may
generate workflow information to be used by workflow management system 205
Workflow management system 205 may be
 integrated with server 109
workflow management system 205 performs a data server function in acquiring and storing medical image data received from the medical image capturing devices
may
act as a graphic engine or invoke image processing system 207 in processing the medical image data to generate 2D or 3D medical image views
[0046] In one embodiment, 
workflow management system 205 
to perform 2D and 3D image generating
clients 202-203
requests for certain medical image views, workflow management system 205
 renders 2D or 3D medical image views from the medical image data
The end results for medical image views are sent to the client
[0047] In one embodiment, 
when a user making adjustments to the medical image views received from server 109, these user adjustment requests are sent back to the workflow management system 205
Workflow management system 205 then performs additional graphic processing based on the user requests, and the newly generated, updated medical  image views are returned to the client
（（一部修正した）訳文：
　
画像前処理システム２０４は
ワークフローマネージメントシステム２０５により使用されるワークフロー情報を発生
ワークフローマネージメントシステム２０５は
サーバー１０９と一体化されてもよい
ワークフローマネージメントシステム２０５は、医療画像捕獲装置から受け取られる医療画像データを取得して記憶するデータサーバーとして機能
医療画像データを処理して２Ｄ又は３Ｄ医療画像ビューを発生する上でグラフィックエンジンとしても働
　１つの実施形態において、
ワークフローマネージメントシステム２０５は
２Ｄ及び３Ｄ画像発生を遂行
クライアント２０２−２０３
が
ある医療画像ビューを要求するとき
医療画像データから２Ｄ又は３Ｄ医療画像ビューをレンダリング
医療画像ビューの最終結果がクライアントに送られ
　１つの実施形態において、
サーバー１０９から受け取られた医療画像ビューに対してユーザが調整を行うとき、そのユーザ調整要求がワークフローマネージメントシステム２０５へ返送され
次いで
ユーザ要求に基づいて付加的なグラフィック処理を遂行し、
新たに発生され更新された医療画像ビューがクライアントへ返送され
Ｃ　「[0053] Referring back to Figure 2, according to one embodiment, server 109 further includes access control system 210 to control access of resources (e.g., image processing tools) and/or medical data stored in medical data store 206 from clients 202-203. 
Clients 202-203 may or may not access certain portions of resources and/or medicate data stored in medical data store 206 dependent upon their respective access privileges
The access privileges may be determined or configured based on a set of role -based rules or policies
Some users with certain roles are limited to some patient information
 can only perform certain steps or stages of the medical image processes
 are limited to certain types of processes
（訳文：
　図２に戻ると、１つの実施形態により、サーバー１０９は、更に、クライアント２０２−２０３からの医療データストア２０６に記憶されたリソース（例えば、画像処理ツール）及び／又は医療データのアクセスをコントロールするためにアクセスコントロールシステム２１０を備えている。
クライアント２０２−２０３は
各アクセス特権に基づいて、医療データストア２０６に記憶されたリソース及び／又は医療データのある部分をアクセスしてもしなくてもよい
アクセス特権は
１組の役割ベースのルール又はポリシーに基づいて決定又は構成され
ある役割をもつあるユーザは
ある患者情報に制限され
医療画像プロセスのあるステップ又はステージしか遂行できな
あるタイプのプロセスに制限される
　上記記載事項Ａ乃至Ｃより，引用例１には，次の発明（以下「引用発明」という。）が記載されているといえる。
「クラウドベースの画像処理システムであって，ネットワーク２０１を経て，１つ以上のクライアント２０２−２０３に通信結合されたサーバー１０９を備え，
　前記サーバー１０９は，クライアント２０２−２０３にクラウドベースの画像処理サービスを提供するように構成され，
　前記サーバー１０９は，画像処理システム２０７を備え，前記画像処理システム２０７は，種々の医療画像形成処理ツール又はアプリケーションを備え，画像捕獲装置から受け取られた画像データに応答して，画像前処理システム２０４は，画像データのある前処理を自動的に遂行し，
　前記画像前処理システム２０４は，サーバー１０９に一体化されてもよく，
　前記画像前処理システム２０４は，更に，ワークフローマネージメントシステム２０５により使用されるワークフロー情報を発生し，
　前記ワークフローマネージメントシステム２０５は，サーバー１０９と一体化されてもよく，
　前記ワークフローマネージメントシステム２０５は，医療画像捕獲装置から受け取られる医療画像データを取得して記憶するデータサーバーとして機能し，医療画像データを処理して２Ｄ又は３Ｄ医療画像ビューを発生する上でグラフィックエンジンとしても働き，２Ｄ及び３Ｄ画像発生を遂行し，クライアント２０２−２０３が，ある医療画像ビューを要求するとき，医療画像データから２Ｄ又は３Ｄ医療画像ビューをレンダリングし，医療画像ビューの最終結果がクライアントに送られ，
　サーバー１０９から受け取られた医療画像ビューに対してユーザが調整を行うとき，そのユーザ調整要求がワークフローマネージメントシステム２０５へ返送され，次いで，ユーザ要求に基づいて付加的なグラフィック処理を遂行し，新たに発生され更新された医療画像ビューがクライアントへ返送され，
　前記クライアント２０２−２０３は，各アクセス特権に基づいて，医療データストア２０６に記憶されたリソース及び／又は医療データのある部分をアクセスしてもしなくてもよく，前記アクセス特権は，１組の役割ベースのルール又はポリシーに基づいて決定又は構成され，
　ある役割をもつあるユーザは，ある患者情報に制限されたり，医療画像プロセスのあるステップ又はステージしか遂行できなかったり，あるタイプのプロセスに制限されたりする，
画像処理システム。」
２　引用例２に記載された事項
　原審拒絶理由において引用した，本願の第一国出願前に既に公知である，特開２００２−３６６２０２号公報（平成１４年１２月２０日公開。以下，これを「引用例２」という。）には，関連する図面と共に，次の事項が記載されている。
Ｄ　「【０００１】
【発明の属する技術分野】本発明は、各種のプラント設備に利用される監視装置のセキュリティシステムに関し、特に
操作者がその操作権限に応じた制限の下に操作を行う監視装置のセキュリティシステム
【０００２】
【従来の技術】一般に、石油化学製品や薬剤などの生産に用いられるプラント設備（以下、プラントと記す）の
監視装置は、時々刻々変化するプロセスの状態を監視する一方、その監視結果に基づいてプラント機器を制御してプロセスの状態を正常に保つように構成され
監視装置の操作を誤るとプラントが正常に運用できなかったり、あるいは非常に危険な状態に陥ることがある
セキュリティの面から、プラントの運転の安定性や安全性を確保できるようにするために、各操作者が実行できる操作を操作者の役割や熟練度に応じた範囲に制限するセキュリティシステムが必要
Ｅ　「【０００８】しかしながら、一般にこのようなプラントでは複数の操作権限のグループを持つ工程が複数存在するために、工程ごとの操作権限のグループを組み合わせて複数の工程にまたがる操作権限を設定しようとすると、この操作権限のグループの数が非常に多くなり、このような操作権限の設定は事実上不可能であった。したがって、
従来
複数の工程を管理する操作者には、複数の操作者ＩＤが付与され、その操作者は工程ごとに操作者ＩＤを変更する必要があった
操作者は、工程ごとに操作者ＩＤを覚えておく必要がある上、別の工程に対する操作へ移るたびに操作者ＩＤを入力する必要があり、緊急時の対応が遅くなるなど操作上の不都合があった
Ｆ　「【００２６】次に、このセキュリティシステムの動作について図５を参照して説明する。図５は、このセキュリティシステムの動作を示すフローチャートである。まず、操作者は操作者ＩＤとパスワードを入力して監視装置の操作を可能にしておく。このとき、入力された操作者ＩＤは運転操作手段１１により保持される。この状態で
操作者が
実行したい機能を選択すると、運転操作手段１１が
入力される命令やデータに基づいて実行すべき機能を特定し、操作権限判定指令と保持している操作者ＩＤと実行すべき機能の機能番号を操作権限判定手段１２に出力
【００２７】
操作権限判定手段１２は、操作権限判定指令に基づき操作者一覧ファイル２２から操作者ＩＤをキーにして操作権限名称を検索し
検索で得られた操作権限名称をキーにして機能／操作権限定義ファイル２１から機能番号を検索
検索結果として検索キーとした操作権限名称に対して可否データが１に設定されている機能番号が得られ
検索で得られた機能番号の中に実行すべき機能の機能番号が存在するか確認する
　上記Ｄ乃至Ｆの記載から，引用例２には，次の技術的事項が記載されているといえる。
「操作者がその操作権限に応じた制限の下に操作を行う監視装置のセキュリティシステムであって，
　前記監視装置は，時々刻々変化するプロセスの状態を監視する一方，その監視結果に基づいてプラント機器を制御してプロセスの状態を正常に保つように構成されるものにおいて，前記監視装置の操作を誤るとプラントが正常に運用できなかったり，あるいは非常に危険な状態に陥ることがあり，
　セキュリティの面から，プラントの運転の安定性や安全性を確保できるようにするために，各操作者が実行できる操作を操作者の役割や熟練度に応じた範囲に制限するセキュリティシステムが必要であり，
　従来，複数の工程を管理する操作者には，複数の操作者ＩＤが付与され，その操作者は工程ごとに操作者ＩＤを変更する必要があり，前記操作者は，工程ごとに操作者ＩＤを覚えておく必要がある上，別の工程に対する操作へ移るたびに操作者ＩＤを入力する必要があり，緊急時の対応が遅くなるなど操作上の不都合があったことを課題としたものにおいて，
　操作者が実行したい機能を選択すると，運転操作手段１１が入力される命令やデータに基づいて実行すべき機能を特定し，操作権限判定指令と保持している操作者ＩＤと実行すべき機能の機能番号を操作権限判定手段１２に出力し，
　前記操作権限判定手段１２は，操作権限判定指令に基づき操作者一覧ファイル２２から操作者ＩＤをキーにして操作権限名称を検索し，検索で得られた操作権限名称をキーにして機能／操作権限定義ファイル２１から機能番号を検索し，検索結果として検索キーとした操作権限名称に対して可否データが１に設定されている機能番号が得られ，検索で得られた機能番号の中に実行すべき機能の機能番号が存在するか確認すること。」
第５　対比・判断
１　本願発明１について
（１）　対比
　本願発明１と引用発明とを対比する。
（ア）引用発明の「サーバー１０９」は，本願発明１の「１又は複数のプロセッサと、１又は複数のメモリと」を有する「ネットワーク装置」に相当する。
　また，当該引用発明の「サーバー１０９」は，「クラウドベースの画像処理サービスを提供するように構成され」ていて，「画像処理システム２０７を備え，前記画像処理システム２０７は，種々の医療画像形成処理ツール又はアプリケーションを備え」るものであることから，本願発明１の「画像管理アプリケーション」と共通するアプリケーションを実行しているといえるから，引用発明と本願発明１とは，“ネットワーク装置であって、１又は複数のプロセッサと、１又は複数のメモリと、画像管理アプリケーションとを有”する点で一致する。
（イ）引用発明は，「サーバー１０９と一体化されてもよ」い「ワークフローマネージメントシステム２０５」を有し，当該「ワークフローマネージメントシステム２０５」は，「医療画像捕獲装置から受け取られる医療画像データを取得して記憶するデータサーバーとして機能し，医療画像データを処理して２Ｄ又は３Ｄ医療画像ビューを発生する上でグラフィックエンジンとしても働き，２Ｄ及び３Ｄ画像発生を遂行」するものである。このうち，「医療画像捕獲装置から受け取られる医療画像データ」は，本願発明１の「前記ネットワーク装置及び前記クライアント装置と異なる１又は複数のモバイル装置により取得された１又は複数の画像」と，下記の点で異なるものの，“装置により取得された１又は複数の画像”という点で一致する。
　そして，当該「装置」は，「ネットワーク２０１を経て，１つ以上のクライアント２０２−２０３に通信結合され」る「サーバー１０９」と「異なる」ことは明らかであり，また引用発明の「クライアント２０２−２０３」は，本願発明１の「クライアント装置」に相当し，「１又は複数の通信リンクを介して、前記ネットワーク装置の外部にある」ことも明らかである。
　引用発明の「サーバー１０９」は，「画像前処理システム２０４」によって「画像データのある前処理を自動的に遂行」したり，「ワークフローマネージメントシステム２０５」によって，「医療画像データを処理して２Ｄ又は３Ｄ医療画像ビューを発生」したり，「レンダリング」したりといった，「複数のプロセス」を実行していることは明らかである。そして，「クライアント２０２−２０３」によって「ある医療画像ビューを要求する」ことは，「装置により取得された１又は複数の画像を処理」する「特定のプロセスにアクセスする、ユーザの要求を受信する」ことに対応するから，引用発明と本願発明１の「１又は複数の通信リンクを介して、前記ネットワーク装置の外部にあるクライアント装置から、複数のプロセスのうち、前記ネットワーク装置及び前記クライアント装置と異なる１又は複数のモバイル装置により取得された１又は複数の画像を処理する特定のプロセスにアクセスする、ユーザの要求を受信するステップ」とは，後記する点で相違するものの，“１又は複数の通信リンクを介して、前記ネットワーク装置の外部にあるクライアント装置から、複数のプロセスのうち、前記ネットワーク装置及び前記クライアント装置と異なる１又は複数の装置により取得された１又は複数の画像を処理する特定のプロセスにアクセスする、ユーザの要求を受信するステップ”を有する点で一致する。
（ウ）引用発明は，「クライアント２０２−２０３は，各アクセス特権に基づいて，医療データストア２０６に記憶されたリソース及び／又は医療データのある部分をアクセスしてもしなくてもよく，前記アクセス特権は，１組の役割ベースのルール又はポリシーに基づいて決定又は構成され」るものであり，また，「ある役割をもつあるユーザ」は，「医療画像プロセスのあるステップ又はステージしか遂行できなかったり，あるタイプのプロセスに制限されたりする」ものであるから，当該「ユーザ」に対し，「あるタイプのプロセス」といったものにアクセスの権限が付与されているといえる。そして当該アクセスの権限は，「１組の役割ベースのルール又はポリシーに基づいて決定又は構成され」ることから，当該「ルール又はポリシー」は，本願発明１の「ユーザデータ」と，プロセスのアクセス権限に係る点で共通するといえる。また，「ある役割をもつあるユーザ」が「ある患者情報に制限され」ることは，当該ユーザの役割を示す「論理エンティティ」が存在するといえることから，本願発明１の「ユーザの役割を示す１又は複数の論理エンティティとを指定する」点においても「ユーザデータ」と共通するといえるから，引用発明と本願発明１の「前記１又は複数の通信リンクを介して、前記ネットワーク装置の外部にある前記クライアント装置から、複数のプロセスのうち、前記ネットワーク装置及び前記クライアント装置と異なる１又は複数のモバイル装置により取得された１又は複数の画像を処理する前記特定のプロセスにアクセスする、ユーザの前記要求を受信するステップに応答して、前記ユーザのユーザデータを読み出すステップであって、前記ユーザの前記ユーザデータは、前記ネットワーク装置及び前記クライアント装置と異なる前記１又は複数のモバイル装置により取得された前記１又は複数の画像を処理するための前記ユーザがアクセスの権限を付与される１又は複数のプロセスと、前記ユーザの役割を示す１又は複数の論理エンティティとを指定するものである、前記ユーザのユーザデータを読み出すステップ」とは，後記する点で相違するものの，“前記１又は複数の通信リンクを介して，前記ネットワーク装置の外部にある前記クライアント装置から，複数のプロセスのうち，前記ネットワーク装置及び前記クライアント装置と異なる１又は複数のモバイル装置により取得された１又は複数の画像を処理する前記特定のプロセスにアクセスする，ユーザの前記要求を受信するステップに応答して，データを読み出すステップであって，前記ユーザの前記データは，前記ネットワーク装置及び前記クライアント装置と異なる前記１又は複数の装置により取得された前記１又は複数の画像を処理するための前記ユーザがアクセスの権限を付与される１又は複数のプロセスと，前記ユーザの役割を示す１又は複数の論理エンティティとを指定するものである，前記データを読み出すステップ”を有する点で一致する。
（エ）上記（ウ）で検討したとおり，引用発明は，「１組の役割ベースのルール又はポリシー」に基づいて，「アクセス特権」が「決定又は構成され」るものであることから，「クライアント２０２−２０３は，各アクセス特権に基づいて，医療データストア２０６に記憶されたリソース及び／又は医療データのある部分をアクセスしてもしなくてもよ」いことや，「ある役割をもつあるユーザ」が，「ある患者情報に制限されたり，医療画像プロセスのあるステップ又はステージしか遂行できなかったり，あるタイプのプロセスに制限されたりする」ことはすなわち，その前提として，医療画像を処理するための所定のプロセスが，ユーザがアクセスの権限を付与された１又は複数のプロセスであるか否かを決定しているといえることから，引用発明と本願発明１の「前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであるか否かを決定するステップ」とは，“前記１又は複数の装置により取得された前記１又は複数の画像を処理する前記特定のプロセスが，前記データにより指定された，前記ネットワーク装置及び前記クライアント装置と異なる前記１又は複数の装置により取得された前記１又は複数の画像を処理するための前記ユーザがアクセスの権限を付与された前記１又は複数のプロセスであるか否かを決定するステップ”を有する点で一致する。
（オ）引用発明は，「サーバー１０９から受け取られた医療画像ビューに対してユーザが調整を行うとき，そのユーザ調整要求がワークフローマネージメントシステム２０５へ返送され，次いで，ユーザ要求に基づいて付加的なグラフィック処理を遂行し，新たに発生され更新された医療画像ビューがクライアントへ返送され」るものであり，当該「付加的なグラフィック処理」を行う，「医療画像ビュー」において「ユーザが調整」する画像が決定されていることは自明である。そして，当該画像の決定にあたっては，上記（エ）で検討した，「決定するステップ」に応答して行われることも明らかであるから，引用発明と本願発明１の「前記１又は複数のモバイル装置により取得された前記１又は複数の画像を処理する前記特定のプロセスが、前記ユーザの前記ユーザデータにより指定された、前記ネットワーク装置及び前記クライアント装置と異なる前記１又は複数のモバイル装置により取得された前記１又は複数の画像を処理するための前記ユーザがアクセスの権限を付与された前記１又は複数のプロセスであると決定されたことに応答して、前記ユーザの前記ユーザデータにより指定された前記１又は複数の論理エンティティに対応する前記１又は複数のモバイル装置により取得された１又は複数の特定の画像を決定するステップ」とは，“前記１又は複数の装置により取得された前記１又は複数の画像を処理する前記特定のプロセスが，前記データにより指定された，前記ネットワーク装置及び前記クライアント装置と異なる前記１又は複数の装置により取得された前記１又は複数の画像を処理するための前記ユーザがアクセスの権限を付与された前記１又は複数のプロセスであるか否かを決定されたことに応答して，前記データにより指定された前記１又は複数の論理エンティティに対応する前記１又は複数の装置により取得された１又は複数の特定の画像を決定するステップ”を有する点で一致する。
（カ）引用発明は，「１組の役割ベースのルール又はポリシーに基づいて決定又は構成され」る，「アクセス特権」に基づいて，「医療データストア２０６に記憶されたリソース及び／又は医療データのある部分をアクセスしてもしなくてもよ」いものであり，また，「ある役割をもつあるユーザは，ある患者情報に制限されたり，医療画像プロセスのあるステップ又はステージしか遂行できなかったり，あるタイプのプロセスに制限されたりする」ものでもあることから，上記（ウ）において検討した「ユーザデータ」に関する検討を踏まえれば，引用発明と本願発明１の「前記ユーザに、前記ユーザの前記ユーザデータにより指定された前記１又は複数の論理エンティティに対応する１又は複数のモバイル装置により取得された前記１又は複数の特定の画像を処理するための前記特定のプロセスを使用することを許可し、及び前記ユーザに、前記ユーザの前記ユーザデータにより指定された前記１又は複数の論理エンティティに対応しない１又は複数のモバイル装置により取得された他の画像を処理するための前記特定のプロセスを使用することを許可しないステップ」とは，“前記ユーザに，前記データにより指定された前記１又は複数の論理エンティティに対応する１又は複数の装置により取得された前記１又は複数の特定の画像を処理するための前記特定のプロセスを使用することを許可し，及び前記ユーザに，前記ユーザの前記データにより指定された前記１又は複数の論理エンティティに対応しない１又は複数のモバイル装置により取得された他の画像を処理するための前記特定のプロセスを使用することを許可しないステップ”点で一致する。
（キ）以上，（ア）乃至（カ）の検討から，引用発明と本願発明１とは，次の一致点及び相違点を有する。
〈一致点〉
　ネットワーク装置であって，
　１又は複数のプロセッサと，
　１又は複数のメモリと，
　画像管理アプリケーションと，
　を有し，前記画像管理アプリケーションは，
　１又は複数の通信リンクを介して，前記ネットワーク装置の外部にあるクライアント装置から，複数のプロセスのうち，前記ネットワーク装置及び前記クライアント装置と異なる１又は複数の装置により取得された１又は複数の画像を処理する特定のプロセスにアクセスする，ユーザの要求を受信するステップと，
　前記１又は複数の通信リンクを介して，前記ネットワーク装置の外部にある前記クライアント装置から，複数のプロセスのうち，前記ネットワーク装置及び前記クライアント装置と異なる１又は複数の装置により取得された１又は複数の画像を処理する前記特定のプロセスにアクセスする，ユーザの前記要求を受信するステップに応答して，
　　データを読み出すステップであって，前記ユーザの前記データは，前記ネットワーク装置及び前記クライアント装置と異なる前記１又は複数の装置により取得された前記１又は複数の画像を処理するための前記ユーザがアクセスの権限を付与される１又は複数のプロセスと，前記ユーザの役割を示す１又は複数の論理エンティティとを指定するものである，前記データを読み出すステップと，
　　前記１又は複数の装置により取得された前記１又は複数の画像を処理する前記特定のプロセスが，前記データにより指定された，前記ネットワーク装置及び前記クライアント装置と異なる前記１又は複数の装置により取得された前記１又は複数の画像を処理するための前記ユーザがアクセスの権限を付与された前記１又は複数のプロセスであるか否かを決定するステップと，
　　前記１又は複数の装置により取得された前記１又は複数の画像を処理する前記特定のプロセスが，前記データにより指定された，前記ネットワーク装置及び前記クライアント装置と異なる前記１又は複数の装置により取得された前記１又は複数の画像を処理するための前記ユーザがアクセスの権限を付与された前記１又は複数のプロセスであると決定されたことに応答して，
　　　前記データにより指定された前記１又は複数の論理エンティティに対応する前記１又は複数の装置により取得された１又は複数の特定の画像を決定するステップと，
　　　前記ユーザに，前記データにより指定された前記１又は複数の論理エンティティに対応する１又は複数の装置により取得された前記１又は複数の特定の画像を処理するための前記特定のプロセスを使用することを許可し，及び前記ユーザに，前記ユーザの前記データにより指定された前記１又は複数の論理エンティティに対応しない１又は複数のモバイル装置により取得された他の画像を処理するための前記特定のプロセスを使用することを許可しないステップと，
　を実行するよう構成される，
ネットワーク装置。
〈相違点１〉
　本願発明１が，ネットワーク装置及びクライアント装置と異なる１又は複数の
モバイル
〈相違点２〉
　本願発明１が，「ユーザのユーザデータを読み出すステップ」を有し，当該ユーザデータが，「前記ネットワーク装置及び前記クライアント装置と異なる前記１又は複数のモバイル装置により取得された前記１又は複数の画像を処理するための前記ユーザがアクセスの権限を付与される１又は複数のプロセスと、前記ユーザの役割を示す１又は複数の論理エンティティとを指定するもの」であり，「１又は複数のモバイル装置により取得された１又は複数の特定の画像」が，当該「論理エンティティ」に対応するものであるのに対し，引用発明は，「１組の役割ベースのルール又はポリシー」に基づいて，「アクセス特権」が決定又は構成され，「クライアント２０２−２０３」が，「各アクセス特権に基づいて，医療データストア２０６に記憶されたリソース及び／又は医療データのある部分をアクセスしてもしなくてもよ」いものである点。
〈相違点３〉
　本願発明１が，「前記特定のプロセスは複数のレベルを有し、前記画像管理アプリケーションは、前記特定のプロセスについて、前記複数のレベルのうちのどれで前記ユーザがアクセスの権限を付与されているかを確認し、前記ユーザにアクセスの権限が付与されていないと判断された画像は、他のユーザがアクセス権限を付与されるかを決定するために前記複数のレベルのうちの他のレベルの例外キューに提供され、他のユーザがアクセス権限を付与するために、前記ユーザにアクセスの権限が付与されていない画像は、前記複数のレベルのうちの更に他のレベルのワークキューに提供されるよう更に構成される」のに対し，引用発明は，そのような構成を有しない点。
（２）　相違点に関する判断
　事案に鑑み，先に相違点３について検討する。
　「ユーザにアクセスの権限が付与されていないと判断された画像」について，他のユーザーのアクセス権限の付与のために提供される，「例外キュー」や，「ワークキュー」に相当する構成を引用発明及び引用例２に記載された技術的事項の中に見いだすことはできず，また画像管理システムにおいて，当該「例外キュー」や「ワークキュー」が，本願の第一国出願前に周知であったとはいえない。してみれば，引用発明において，当該「例外キュー」や「ワークキュー」を設ける動機付けは存在せず，さらに当該「例外キュー」や「ワークキュー」を通じて，「ユーザにアクセスの権限が付与されていないと判断された画像」を「他のユーザ」に対してアクセス権限を付与するよう構成することまでは，当業者といえども容易であったということはできない。
　したがって，上記その余の相違点について判断するまでもなく，本願発明１は，当業者であっても，引用発明及び引用例２に記載された技術的事項に基づいて容易に発明できたものとはいえない。
２　本願発明２乃至７について
　本願発明２乃至７は，請求項１を直接若しくは間接的に引用するものであって，本願発明１の「前記特定のプロセスは複数のレベルを有し、前記画像管理アプリケーションは、前記特定のプロセスについて、前記複数のレベルのうちのどれで前記ユーザがアクセスの権限を付与されているかを確認し、前記ユーザにアクセスの権限が付与されていないと判断された画像は、他のユーザがアクセス権限を付与されるかを決定するために前記複数のレベルのうちの他のレベルの例外キューに提供され、他のユーザがアクセス権限を付与するために、前記ユーザにアクセスの権限が付与されていない画像は、前記複数のレベルのうちの更に他のレベルのワークキューに提供されるよう更に構成される」のと同一の構成を備えるものであるから，本願発明１と同じ理由により，当業者であっても，引用発明及び引用例２に記載された技術的事項に基づいて容易に発明できたものとはいえない。
３　本願発明８及び１５について
　本願発明８及び１５は，本願発明１とカテゴリー表現のみ異なるものであって，本願発明１と同じ理由により，当業者であっても，引用発明及び引用例２に記載された技術的事項に基づいて容易に発明できたものとはいえない。
４　本願発明９乃至１４及び１６乃至１８について
　本願発明９乃至１４及び１６乃至１８は，それぞれ本願発明８及び本願発明１５を直接若しくは間接的に引用するものであって，本願発明８及び１５と同じ理由により，当業者であっても，引用発明及び引用例２に記載された技術的事項に基づいて容易に発明できたものとはいえない。
第６　当審拒絶理由の概要
＜特許法第３６条第６項第２号について＞
　当審では，請求項１の，
（１）「前記ユーザのユーザデータを読み出すステップであって、前記ユーザの前記ユーザデータは、前記ネットワーク装置及び前記クライアント装置と異なる前記１又は複数のモバイル装置により取得された前記１又は複数の画像を処理するために前記ユーザがアクセスの権限を付与される１又は複数のプロセスと、１又は複数の論理エンティティと、指定する、ステップ」とされるステップ，
（２）「前記１又は複数のモバイル装置により取得された前記１又は複数の画像を処理する前記特定のプロセスが、前記ユーザの前記ユーザデータにより指定された前記ネットワーク装置及び前記クライアント装置と異なる前記１又は複数のモバイル装置により取得された前記１又は複数の画像を処理するために前記ユーザがアクセスの権限を付与された前記１又は複数のプロセスに含まれるか否かを決定するステップ」とされるステップ，及び
（３）「前記特定のプロセスは複数のレベルを有し、前記画像管理アプリケーションは、前記特定のプロセスについて、前記複数のレベルのうちのどれで前記ユーザがアクセスの権限を付与されるかを決定し、前記ユーザにアクセスの権限が付与されないと決定された画像は、他のユーザがアクセス権限を付与されるかを決定するために前記複数のレベルのうちの他のレベルの例外キューに提供され、前記ユーザにアクセスの権限が付与されると決定された画像は、前記複数のレベルのうちの更に他のレベルのワークキューに提供されるよう更に構成される」点
につき構成が不明確であるとの拒絶の理由を通知しているが，平成３０年５月２１日付けの手続補正において，上記，「第３　本願発明」の項に掲げたとおりに補正された結果，この拒絶の理由は解消した。
第７　原査定についての判断
　平成３０年５月２１日付けの手続補正により，補正後の請求項１は，「前記特定のプロセスは複数のレベルを有し、前記画像管理アプリケーションは、前記特定のプロセスについて、前記複数のレベルのうちのどれで前記ユーザがアクセスの権限を付与されているかを確認し、前記ユーザにアクセスの権限が付与されていないと判断された画像は、他のユーザがアクセス権限を付与されるかを決定するために前記複数のレベルのうちの他のレベルの例外キューに提供され、他のユーザがアクセス権限を付与するために、前記ユーザにアクセスの権限が付与されていない画像は、前記複数のレベルのうちの更に他のレベルのワークキューに提供されるよう更に構成される」という技術的事項を有し，また，請求項８及び１５についても同様な技術的事項を有するものとなった。当該事項は，原査定における引用例１及び２には記載されておらず，本願の第一国出願日前における周知技術でもないので，本願発明１乃至１８は，当業者であっても，引用発明及び引用例２に記載された技術的事項に基づいて容易に発明できたものとはいえない。したがって，原査定を維持することはできない。
第８　むすび
　以上のとおり，原査定の理由によっては，本願を拒絶することはできない。
　また，他に本願を拒絶すべき理由を発見しない。
　よって，結論のとおり審決する。